(57)【要約】【課題】施工現場への搬入等の取り扱いが容易であり、且つ施工も正確に且つ能率よく行えると共に強度的にも優れ、さらに、良好な外観を呈するフェンスの構造を提供する。【解決手段】支柱１とこの支柱１の前面に直列状に装着される複数個の取付具２と、支柱１、１の前面間に上下方向に並列状態に取付けられる複数枚の羽根３とからなり、この羽根３は正面横長長方形状の前面板片の上下端縁に後方に向かって斜め下方に傾斜した傾斜片を突設していると共にこれらの上下傾斜片の後端に下方に向かって屈折した上下取付片を形成してなる。そして、左右に対向した支柱１、１の前面に装着されている各取付具２、２の前面間にこの羽根３を架設状態に配設してその上下取付片を取付具２、２の上向き開口の上下支持溝６、７に差し込むことにより張設してフェンスを構成している。【選択図】　　図２
2004036298.tif 000002
【特許請求の範囲】
【請求項１】
左右方向に所定間隔を存した支柱の前面間に装着される目隠しフェンスの羽根であって、正面横長長方形状の前面板片の上下端縁に後方に向かって一定幅の傾斜片を突設していると共にこれらの上下傾斜片の後端に上下取付片をそれぞれ設けていることを特徴とする目隠しフェンスの羽根。
【請求項２】
上下傾斜片は、前面板片の上下端縁からそれぞれ後方に向かって斜め下方に傾斜していると共に上下取付片はこれらの上下傾斜片の後端から下方に向かって屈折していることを特徴とする請求項１に記載の目隠しフェンスの羽根。
【請求項３】
前面板片と下側の傾斜片及び下側の取付片は透光性を有するポリカーボネート樹脂からなる一方、上側の傾斜片とこの上側傾斜片と一体の上側取付片とは上記前面板片と別体の金属製又は合成樹脂製であって、該上側傾斜片の前端縁に下方に向かって下向きに開口しているスリット状溝部を一体に形成してあり、このスリット状溝部に上記前面板片の上端縁部を挿嵌させて羽根を形成するように構成していることを特徴とする請求項１又は請求項２に記載の目隠しフェンスの羽根。
【請求項４】
支柱と、前面に羽根の支持溝を設けている取付具と、正面横長長方形状の前面板片の上下端縁に後方に向かって一定幅の傾斜片を突設していると共にこれらの上下傾斜片の後端に上下取付片をそれぞれ設けている羽根とからなり、上記支柱を所定間隔を存して立設すると共にこれらの支柱の前面に上記取付具を複数個、直列状に取付け、上下に隣接する２つの上記支持溝を一組として左右方向に対向した各組の上側支持溝間と下側支持溝間に上記羽根の上側取付片と下側取付片とをそれぞれ差し込んで支柱の前面間に複数枚の羽根を並設してなることを特徴とする目隠しフェンスの構造。
【請求項５】
取付具の前面に設けている羽根の支持溝は、上向きに開口している一方、羽根における上下傾斜片は前面板片の上下端縁からそれぞれ後方に向かって斜め下方に傾斜し、且つ、上下取付片はこれらの上下傾斜片の後端から下方に向かった屈折してあり、この羽根における上下取付片の両側端部を左右方向に対向した取付具における上記支持溝にそれぞれ挿入、支持させていることを特徴とする請求項４に記載の目隠しフェンスの構造。
【請求項６】
支柱の前面両側部に互いに平行な垂直ガイド溝を設けている一方、取付具の両側端部をこれらの垂直ガイド溝にそれぞれ上下摺動自在に挿入するガイド端部に形成してあり、さらに、取付具の前面に羽根の上下取付片の間隔と同一間隔を存して羽根を支持する上下支持溝を設けていることを特徴とする請求項４又は請求項５に記載の目隠しフェンス構造。
【発明の詳細な説明】
【０００１】
【発明の属する技術分野】
本発明は、マンションや病院等の建物における開放廊下や外壁回り等に沿って張設し、外部からの透視を遮断してプライバシーの保護を図る目隠しフェンス用の羽根と、その目隠しフェンスの構造に関するものである。
【０００２】
【従来の技術】
従来から、建物における開放廊下やベランダ側に面した部屋等は外部から見えやすいので、手摺り壁（パラペット）等に一定高さのフェンスを張設してこのフェンスにより目隠しを行っていると共に、この目隠しにもかかわらず、通風や採光を可能にした構造としている。このようなフェンスとしては、種々の構造のものが知られているが、基本的には図１０、図１１に示すように、建物のベランダにおける手摺り壁上に一定高さの支柱１１、１１・・を横方向に一定間隔毎に立設し、隣接する支柱１１、１１間に採光性を有する正面矩形状の目隠しパネル１２を張設してなる構造が広く採用されている。
【０００３】
そして、上記目隠しパネル１２としては、上下方向に一定間隔を存して笠木１３、１４を互いに平行に配設すると共に上側笠木１３の下面と下側笠木１４の上面とに上下端面を固着させた一定長さの縦桟部材１５をこれらの上下笠木１３、１４の長さ方向に一定間隔毎に取付け、さらに、前端から後端に向かって斜め下方に傾斜している横長長方形状の傾斜板片１６ａ　の前後端縁に上下方向に垂直な上下縁片部１６ｂ　、１６ｃ　をそれぞれ設けてなる羽根板１６を上下方向に小間隔毎に並設した状態にして、これらの羽根板１６の傾斜板片１６ａ　の長さ方向に一定間隔毎に設けている孔に縦桟部材１５、１５を挿通して羽根板１６を支持させた構造のものが実公平６−１６０７０号で公知となっている。
【０００４】
【発明が解決しようとする課題】
しかしながら、上記のようなフェンスでは、羽根板１６を直接、支柱１１、１１間に取付けるのではなく、まず、各羽根板１６の傾斜板片１６ａ　に長さ方向に所定間隔を存して設けている孔に縦桟部材１５を順次、挿通してこれらの縦桟部材１５、１５に複数枚の羽根板１６を上下に小間隔毎に並設した状態で装着すると共に縦桟部材１５、１５の上下端面を上下笠木１３、１４の対向面に固着することにより目隠しパネル１２を形成し、しかるのち、この目隠しパネル１２を支柱間に取付けることによって構成するものであるから、施工に手間を要するばかりでなく、部品数が多くなってコスト高くなり、また、矩形枠状に組み立てられる目隠しパネルは、機材を施工現場まで搬入する場合に、該目隠しパネルが大形であればある程、多くの縦桟部材が必要となり、搬入に困難を伴うことになる。
【０００５】
そのため、建物における外壁全体をフェンスで高く覆うには、図９に示すように目隠しパネル１２、１２を積み重ねて支柱１１、１１間に配設、固定しなければならず、このような配設では上下目隠しパネル間に羽根板１６が設けられていない上下笠木１３、１４に隙間が生じて外観を損することになり、その上、支柱１１に対して目隠しパネル１２を取付けるには、ブラケットなどの金物やボルト・ナットなどの固着具を要すると共にこれらの金物等を用いて支柱１１と目隠しパネル１２とを連結、固定させるための工具を必要とし、作業能率が低下するという問題点がある。
【０００６】
さらに、上記羽根板１６は、前端から後端に向かって斜め下方に傾斜している横長長方形状の傾斜板片１６ａ　の前後端縁に上下方向に垂直な上下縁片部１６ｂ　、１６ｃを設けてなる形状であるために、耐曲げ強度が小さくて撓みが生じやすく、そのため、羽根板１６を支持する上記縦桟部材１５、１５間の間隔を狭くせざるを得なくなって組立て作業に手間を要し、その上、羽根板１６の取付構造は、その傾斜板片１６ａ　に設けている孔に縦桟部材１５を挿通して該縦孔部材１５の所定部分に係止状態で支持させた構造としているため、各羽根板１６の縦桟部材１５に対する支持は、不安定な一点支持となり、縦桟部材１５に対する係止が解かれた場合には縦桟部材１５に沿って上下方向に変形移動して外観を損するばかりでなく、強度的にも低下するという問題点があった。
【０００７】
本発明はこのような問題点に鑑みてなされたもので、その目的とするところは、作業現場への搬入等の取扱性が容易であるばかりでなく、目隠しすべき高さが高くても能率よく且つ正確に施工することができ、さらに、耐曲げ強度や取付強度に優れている上に、良好な外観を呈する目隠しフェンスの羽根およびこの羽根を用いた目隠しフェンスの構造を提供するにある。
【０００８】
【課題を解決するための手段】
上記目的を達成するために、本発明の目隠しフェンスの羽根は、請求項１に記載したように、左右方向に所定間隔を存した支柱の前面間に装着される目隠しフェンスの羽根であって、正面横長長方形状の前面板片の上下端縁に後方に向かって一定幅の傾斜片を突設していると共にこれらの上下傾斜片の後端に上下取付片をそれぞれ設けてなる構造を有する。
【０００９】
このように構成した目隠しフェンスの羽根において、請求項２に係る発明は、上下傾斜片を、前面板片の上下端縁からそれぞれ後方に向かって斜め下方に傾斜させていると共に上下取付片をこれらの上下傾斜片の後端から下方に向かって屈折させていることを特徴とし、請求項３に係る発明は、前面板片と下側の傾斜片及び下側の取付片を透光性を有するポリカーボネート樹脂から形成している一方、上側の傾斜片とこの上側傾斜片と一体の上側取付片とを上記前面板片と別体の金属製又は合成樹脂製とし、該上側傾斜片の前端縁に下方に向かって下向きに開口しているスリット状溝部を一体に形成して、このスリット状溝部に上記前面板片の上端縁部を挿嵌させることにより羽根を形成するように構成している。
【００１０】
請求項４に係る発明は、目隠しフェンスの構造であって、支柱と、前面に羽根の支持溝を設けている取付具と、正面横長長方形状の前面板片の上下端縁に後方に向かって一定幅の傾斜片を突設していると共にこれらの上下傾斜片の後端に上下取付片をそれぞれ設けている羽根とからなり、上記支柱を所定間隔を存して立設すると共にこれらの支柱の前面に上記取付具を複数個、直列状に取付け、上下に隣接する２つの上記支持溝を一組として左右方向に対向した各組の上側支持溝間と下側支持溝間に上記羽根の上側取付片と下側取付片とをそれぞれ差し込んで支柱の前面間に複数枚の羽根を並設してなるフェンス構造としている。
【００１１】
また、このように構成したフェンス構造において、請求項５に係る発明は、上記取付具の前面に設けている羽根の支持溝を上向きに開口させている一方、羽根における上下傾斜片を前面板片の上下端縁からそれぞれ後方に向かって斜め下方に傾斜させ、且つ、上下取付片をこれらの上下傾斜片の後端から下方に向かった屈折させてあり、この羽根における上下取付片の両側端部を左右方向に対向した取付具における上記支持溝にそれぞれ挿入、支持させていることを特徴としている。
【００１２】
さらに、請求項６に係る発明は、上記支柱の前面両側部に互いに平行な垂直ガイド溝を設けている一方、取付具の両側端部をこれらの垂直ガイド溝にそれぞれ上下摺動自在に挿入するガイド端部に形成してあり、さらに、取付具の前面に羽根の上下取付片の間隔と同一間隔を存して羽根を支持する上下支持溝を設けていることを特徴とする。
【００１３】
【作用】
フェンスは支柱と、この支柱の前面に取付けられる取付具と、羽根とから構成されるので、嵩張ることなく施工現場への運搬や搬入が容易に行えると共に、施工に際しては従来のような矩形枠状の目隠しパネルを組み立てることなく、左右に所定間隔を存して立設した支柱の前面に上記取付具を上下方向に直列状に取付けたのち、或いは、支柱の立設する前に取付具を直列状に取付けておいたのち、羽根を支柱の前面間に架設状態に対向させてその両側部を左右の支柱に取付けている取付具に装着するという簡単な手順によってフェンスを施工することができるのでその施工作業が能率よく行えると共に、支柱の長さ、即ち、フェンスの高さが高くても左右の支柱の前面に取付けている取付具間に羽根の両側部を装着、支持させる作業を繰り返し行うだけで、容易に且つ外観的にも優れたフェンスを構成することができる。
【００１４】
さらに、上記羽根は、正面横長長方形状の前面板片の上下端縁に後方に向かって斜め下方に傾斜した一定幅の傾斜片を突設していると共にこれらの上下傾斜片の後端に下方に向かって屈折した上下取付片をそれぞれ設けてなる形状としているので、耐曲げ強度の大きい断面形状を有していて支柱間の間隔を比較的広くしても撓みが生じる虞れもなく、従って、単位長さ当たりのフェンス施工時間の短縮を図ることができるものである。
【００１５】
その上、支柱の前面に上下方向に直列状に取付けられている上記各取付具には上向き開口の支持溝が設けられてあり、これらの上下に隣接する２つの上向き開口の支持溝を一組として左右方向に対向した各組の上側支持溝間と下側支持溝間に上記羽根の上側取付片と下側取付片とをそれぞれ差し込むことにより、支柱の前面間に羽根を架設状態で張設するものであるから、取付具に対する羽根の装着作業が円滑に且つ確実に行えてフェンスの施工能率が一層向上するばかりでなく、羽根は取付具における上下一組の支持溝によって順次、正確な位置に整然と並設した状態で支持されて外観的にも優れたフェンスを構成することができ、しかも、各羽根はその背面側に設けている上下取付片を上向き開口の上下支持溝に支持させているので、２点支持構造となって強固に装着することができ、長期の使用に供することができるものである。
【００１６】
また、支柱の前面に対する取付具の装着は、ビス止めによって行ってもよいが、支柱の前面両側部に垂直ガイド溝を設けておき、これらの垂直ガイド溝に取付具の両側ガイド端部を係合させて順次落とし込むことにより、複数個の取付具を支柱の前面に簡単に直列状に積み重ねることができ、しかも、支柱の立設後には工具を必要とすることなく取付具と羽根の装着作業が行え、作業能率が一段と向上することになる。さらに、各取付具の前面に上記羽根の上下取付片の間隔と同一間隔を存して上向き開口の上下支持溝を設けておくことにより、左右の支柱に装着されている取付具列における水平方向に対向した対の取付具の上下支持溝に羽根の両側部における上下取付片を差し込み支持させて羽根を支柱の前面間に張設させる作業が簡単且つ確実に行えると共に、複数枚の羽根が上下方向に小間隔毎に精度良く並設して外観が一段と優れたフェンス構造となる。
【００１７】
このように、左右の支柱間に羽根を上下並列状態に張設すると、羽根は正面横長長方形状の前面板片の上下端縁に後方に向かって斜め下方に傾斜した一定幅の傾斜片を突設しているので、上下に隣接する羽根間には、下側の羽根の上側傾斜片と上側の羽根の下側傾斜片間で、屋外側から建物側に向かって斜め下方に連通した一定幅の隙間が形成され、この隙間を通じて外気を取り込むことができる。
【００１８】
【発明の実施の形態】
次に、本発明の実施の形態を図面について説明すると、図１〜図３において、フェンスＡは左右に一定間隔を存して立設した支柱１、１と、これらの支柱１、１の前面に上下方向に直列状に取付けられた複数個の取付具２、２・・・と、上記左右の支柱１、１の前面間に架設状態に張設してその両端部を支柱１、１における水平方向で対向した各対の取付具２、２に支持させている複数枚の羽根３とから構成されている。
【００１９】
上記支柱１はアルミ製の形材からなる中空支柱であって、施工すべきフェンスＡの高さに略等しい長さに形成されてあり、図４、図５に示すように、その前面に該支柱１の両側端部を残して一定幅を有する溝４を全長に亘って形成していると共にこの溝４の開口前端部における両側端部に小幅の突条部５、５を全長に亘って形成されていてこの突条部５、５と溝底面の両側端部及び溝４の対向側端面とによって囲まれた部分を断面コ字状の垂直なガイド溝４ａ、４ａに形成している。
【００２０】
一方、上記取付具２はＡＥＳ樹脂又はその他の合成樹脂材、或いはアルミ合金等の金属材料からなり、透明な樹脂で形成した場合は、支柱１に取付具２が差し込み施工されてても目隠しフェンスを概観したときに目立ちにくく、見栄えが良好となる。また、取付具２は図３、図４、図６に示すように、その長さ（縦幅）は上記羽根３の幅に略等しく、幅は上記支柱１における溝４の両側ガイド溝４ａ、４ａ間に上下摺動自在に差し込み可能な幅、即ち、溝４の対向側端面間の幅よりも僅かに狭く、且つ上記突条部５、５の対向突出端面間の幅よりも広い正面縦長長方形状に形成されてあり、さらに、両側端部を上記両側ガイド溝４ａ、４ａに摺動自在に挿入するガイド端部２ａ、２ａに形成している。
【００２１】
また、この取付具２の前面における上部と下端部とに上記羽根３を支持する上向きに開口した支持溝６、７を一体に設けている。上側の支持溝６は、取付具２の前面上部において、下端が該前面に一体に連なり且つその下端から取付具２の前面に対して平行に上記羽根３の肉厚に略等しい間隔を存して上方に突設している所定高さの垂直突片部６ａと取付具２の前面上部との対向面間によって形成されてあり、下側の支持溝７も同様に、取付具２の前面下端部において、下端が該前面下端に一体に連なり且つその下端から取付具２の前面下端部に対して平行に上記羽根３の肉厚に略等しい間隔を存して上方に突設している所定高さの垂直突片部７ａと取付具２の前面下端部との対向面間によって形成されている。
【００２２】
さらに、これらの上下支持溝６、７の開口端の上方部における取付具２の前面上端部と下端部とに高さが上記垂直突片部６ａ、７ａの前面近傍部に達する断面く字状の水平突条部８、９をそれぞれ突設してあり、これらの水平突条部８、９を上下支持溝６、７の開口上端に対して羽根３の肉厚よりも僅かに広い間隔を存して上下支持溝６、７の開口端の上方にそれぞれ配設されている。なお、上記上下垂直突片部６ａ、７ａはその下端を支点として前後方向、即ち、開口幅が拡縮する方向に弾性変形可能となるように取付具２の材質を選定している。
【００２３】
なお、取付具２の厚み、即ち、支持溝６、７を設けている前面と平坦な背面間の厚みを支柱１に設けている上記溝４の深さ、即ち、ガイド溝４ａを形成している突条部５の前面と溝４の前面（底面）間の厚みに略等しく形成されていて、その両側ガイド端部２ａ、２ａを支柱１の両側ガイド溝４ａ、４ａに上下摺動自在に挿入した時に、取付具２の上下支持溝６、７が支柱１の上記突条部５の前面から前方に突出、又は、突条部５の前面と略同一垂直面上となるように構成している。
【００２４】
一方、上記羽根３はポリカーボネート樹脂等の透光性を有する合成樹脂板からなり、正面横長長方形状の前面板片３ａの上下端縁に後方に向かってそれぞれ同一角度、例えば、４５度の角度でもって斜め下方に傾斜している一定幅の傾斜片３ｂ、３ｃを全長に亘って一体に屈折、形成していると共にこれらの上下傾斜片３ｂ、３ｃの後端縁からさらに垂直下方に向かって一定の縦幅を有する上下取付片３ｄ、３ｅを全長に亘って屈折、形成してなるものである。
【００２５】
さらに、この羽根３の上下取付片３ｄ、３ｅは、上記取付具２における上下支持溝６、７間と同一間隔を存して設けられていると共にその縦幅は取付具２の上下支持溝６、７の深さと同等又は僅かに幅広くしてこれらの上下支持溝６、７にそれぞれ上方から差し込んだ時に、その下端面が支持溝６、７の溝底に当接、支持されるように形成している。
【００２６】
この羽根３はポリカーボネート樹脂よりなる場合には、前面板片３ａに対して特に大きく屈折している上側傾斜片３ｂの折曲げ加工が極めて困難であるため、押し出し成形によって製造されるが、図４、図７に示すように、前面板片３ａと下側の傾斜片３ｃ及びこの傾斜片３ｃの後端から下方に突設している下側の取付片３ｅとを透明ないしは半透明のポリカーボネート樹脂から一体に形成し、上側の傾斜片３ｂとこの上側傾斜片３ｂの後端から下方に突設している上側取付片３ｄとをアルミニウムの押し出し成形によって形成して、このアルミニウム製の上側傾斜片３ｂをポリカーボネート樹脂よりなる前面板片３ａの上端縁部に連結させるように構成しておいてもよい。また、上側の傾斜片３ｂと上側取付片３ｄとを別体のポリカーボネート樹脂で形成してもよく、この場合は、羽根３全体を押し出し成形する必要がないので金型費用が安く済むというメリットがある。
【００２７】
前面板片３ａに対するアルミニウム製の上側傾斜片３ｂの連結構造としては、この上側傾斜片３ｂの前端縁に下向きに開口しているスリット状溝部３ｆを垂直下方に向かって一体に突設し、このスリット状溝部３ｆを上記前面板片３ａの上端縁部に挿嵌させて羽根３を形成するように構成している。なお、上側傾斜片３ｂと上側取付片３ｄとを上記ポリカーボネート樹脂とは別な合成樹脂の押し出し成形によって形成してもよい。また、上記前面板片３ａは垂直な面に形成しておくことなく、断面く字状に屈折した面や円弧状に湾曲した面等、適宜な断面形状に形成しておいてもよい。
【００２８】
次に、上記のように形成している支柱１と取付具２と羽根３とによってフェンスＡを組み立てる施工手順を説明すると、まず、建物の外壁に沿って設けている通路等の外端縁のパラペットＢ上に、左右方向（横方向）に所定間隔を存して支柱１、１を立設、固定する。なお、図１においては二本の支柱１、１を所定間隔を存して立設しているが、通路等が長い場合には複数本の支柱１を所定間隔毎に立設して長いフェンスを施工することは勿論である。
【００２９】
また、支柱１の長さはパラペットＢとその上方の天井部Ｃ間の上下開口幅に略等しい長さのものを使用し、その下端部をパラペットＢの上端面に植え込みボルト等によって固着している座板Ｄ上に、溶接、或いは、適宜な固定金具（図示せず）によって立設、固定され、上端部は天井部Ｃの下面に固定金具Ｅによって固定される。なお、支柱１の施工時には、該支柱１の前面に全長に亘って設けている両側ガイド溝４ａ、４ａを建物外、即ち、前方に向けておく。
【００３０】
さらに、これらの支柱１、１の前面両側部に設けている溝４に支柱１の上方から複数個の取付具２を順次差し込んで、各取付具２の両側ガイド端部２ａ、２ａを溝４の両側ガイド溝４ａ、４ａに案内させながら下方に摺動、落下させることにより、上下に隣接する取付具２、２の上下端面同士を突き合わせ状に当接させて複数個の取付具２を図２〜図４に示すように、支柱１の前面に上下直列状態に取り付ける。
【００３１】
なお、支柱１の前面に対する取付具２の取付け作業は、支柱１を所定位置に立設、固定したのち行なってもよいが、作業性と安全性の観点から、支柱１を立設する前に、予め、該支柱１の前面に設けている上記両側ガイド溝４ａ、４ａに各取付具２の両側ガイド端部２ａ、２ａを係止させながら差し込んで順次、上下端面同士を接合させた状態で直列状に取付けておいたもよい。この場合、取付具２を取付けた状態で支柱１を施工現場への搬入等の取扱いを行うと、取付具２がガイド溝４ａ、４ａから抜け出る場合が生じる虞れがあるので、この取付具２にビス孔（図示せず）を設けておき、少なくとも支柱１の最上端側と最下端側の取付具２、２をそのビス孔から支柱１の前面にビス（図示せず）を螺合させることによって固着しておくことが望ましい。勿論、支柱１の立設後にこの支柱１に取付具２をビス止めしてもよい。なお、図２、図４に示すように、支柱１の上端面に蓋板１ａを固定するので、この蓋板１ａによって溝４からの取付具２の抜け止めを行うことができる。
【００３２】
こうして、前面に複数枚の取付具２を直列状態に配設している支柱１、１を左右方向に所定間隔を存した状態で立設、固定したのち、羽根３を支柱１、１の前面間に架設状態に配設してその上下取付片３ｄ、３ｅの長さ方向の両端部を支柱１、１の前面に装着している上記取付具２、２の上下支持溝６、７内に上方からそれぞれ挿入、支持させることによって張設する。
【００３３】
即ち、一方の支柱１に直列状に積み重ね状態で取付けられている複数個の取付具２における１つの取付具２と、この取付具２に左右方向（水平方向）に対向した他方の支柱１に直列状に積み重ね状態で取付けられている複数個の取付具２にうちの１つの取付具２とを一組として、各組の取付具２、２の前面間に羽根３を順次配設して該羽根３の上下取付片３ｄ、３ｅの両側端部を取付具２、２の上下支持溝６、７にそれぞれ挿入、支持させると共に上下取付片３ｄ、３ｅの上端に連なる上下傾斜片３ｂ、３ｃの後端部上面を上下支持溝６、７の上方近傍部に突設している水平突条部８、９の傾斜下面８ａ、９ａに抜け止め状態に受止させることにより、支柱１、１の前面間に複数枚の羽根３、３・・・を上下方向に小間隔毎に並列させた状態で張設してフェンスＡを構成するものである。
【００３４】
なお、このフェンスＡの構造においては、一枚の羽根３の上下取付片３ｄ、３ｅの両側端部を支持する上下支持溝６、７を一個の取付具２に設けているが、取付具２としてその前面に１つの支持溝を設けている短尺のものを使用したり、或いは、複数個の支持溝を上下方向に所定間隔毎に設けている取付具を使用してもよく、要するに、各支柱１に取付けた取付具列における上下に隣接する上向き開口の支持溝を一組として複数組の支持溝を上下方向に所定間隔毎に配設すると共に支柱１、１における左右方向に対向した各組の上側支持溝６、６と下側支持溝７、７に上記一枚の羽根３の上側取付片３ｄと下側取付片３ｅの両側端部をその下端面が支持溝６、７の溝底に当接するまでそれぞれ差し込むことによって張設するように構成しておけばよい。
【００３５】
こうして施工されたフェンスＡは、上下に隣接する羽根３、３において、上側の羽根３の下側傾斜片３ｃと下側の羽根３における上側傾斜片３ｂとの間に前方側から後方に向かって斜め下方に傾斜した隙間１０が設けられてあり、この隙間１０を通じて風が建物側に直接、通過すると共に斜め上方からの太陽光を入射させることができ、また、透光性を有する合成樹脂製の前面板片３ａ等を通じて採光が行われると共に、外部に対して目隠しをすることができる。
【００３６】
なお、上記のフェンス構造は、種々の形態で実施されても良く、例えば、図８に示すように、上記フェンス構造を上下逆にして施工されたり、図９に示すように、羽根３が長手方向を縦向きとなるように施工されても良い。
【００３７】
【発明の効果】
以上のように本発明の目隠しフェンスの羽根は、請求項１に記載したように、正面横長長方形状の前面板片の上下端縁に後方に向かって一定幅の傾斜片を突設していると共に、これらの上下傾斜片の後端に上下取付片をそれぞれ設けてなる形状としているので、耐曲げ強度の大きい断面形状に形成されているから、支柱間の間隔を広くしても撓みを生じさせることなく支柱の前面間に張設することができ、従って、羽根の長さに相当するフェンスの左右方向のスパンが長くなってフェンスの施工時間の短縮を図ることができる。
【００３８】
また、上記羽根の構造において、請求項２に係る発明は、上下傾斜片を前面板片の上下端縁からそれぞれ後方に向かって斜め下方に傾斜させていると共に、これらの上下傾斜片の後端から上下取付片を下方に向かって屈折させているので、上下取付片の垂直な後面の両側端部を左右の支柱の前面に沿わせながら下方に移動させることによって支柱の前面に装着している取付具の上向き開口の支持溝に簡単に挿入、支持させることができ、羽根の張設作業が円滑に行える。
【００３９】
さらに、請求項３に係る発明は、羽根における前面板片と下側の傾斜片及び下側の取付片を透光性を有するポリカーボネート樹脂によって一体に形成し、上側の傾斜片と上側取付片とを金属又は適宜な合成樹脂によって一体に形成すると共にその上側傾斜片の前端縁に下方に向かって下向きに開口しているスリット状溝部を設けて、このスリット状溝部を上記前面板片の上端縁部に挿嵌させることにより羽根を形成するように構成しているので、折り曲げ加工が困難なポリカーボネート樹脂製の羽根の屈折部分をなくしてアルミニウム製又は適宜な合成樹脂製の上側傾斜片の前端スリット状溝部をポリカーボネート樹脂製の前面板片の上端縁部に連結することにより簡単に羽根を組み立てることができると共に、上側の傾斜片と上側取付片とをアルミニウムによって形成しておけば、ポリカーボネート樹脂製の前面板片の上端縁部に対するアルミニウム製の連結部分がインパクトな外観を呈して見栄えのよいフェンスを組み立てることができる。
【００４０】
請求項４及び請求項５に係る発明は、上記羽根を用いた目隠しフェンスの構造であって、支柱と、前面に羽根の支持溝を設けている取付具と、上記羽根とからなり、支柱を所定間隔を存して立設すると共にこれらの支柱の前面に上記取付具を複数個、直列状に取付け、上下に隣接する２つの上記支持溝を一組として左右方向に対向した各組の上側支持溝間と下側支持溝間に上記羽根の上側取付片と下側取付片とをそれぞれ差し込んで支柱の前面間に複数枚の羽根を並設してなるものであるから、フェンスは支柱と取付具と羽根とから組み立てるようにしているので、施工現場へのこれらの支柱と取付具及び羽根の運搬や搬入が容易に行えると共に、施工に際しては従来のような矩形枠状の目隠しパネルを組み立てることなく、左右に所定間隔を存して立設した支柱の前面に上記取付具を上下方向に直列状に取付けたのち、或いは、支柱を立設する前にこれらの支柱の前面に上記取付具を取付けておいたのち、羽根を支柱の前面間に架設状態に対向させてその両側部を左右の支柱に取付けている取付具に装着するという簡単な手順により、フェンスを組立て、形成することができる。
【００４１】
従って、フェンスの施工作業が能率よく行えると共に支柱の長さ、即ち、フェンスの高さが高くても左右の支柱の前面に取付けている取付具間に羽根の両側部を装着、支持させる作業を繰り返し行うだけで、所望高さのフェンスを容易に組み立てることができ、且つ外観的にも優れたフェンスを構成することができる。
【００４２】
上記請求項４及び請求項５に記載のフェンス構造において、請求項６に係る発明は、上記支柱の前面両側部に互いに平行な垂直ガイド溝を設けている一方、取付具をその両側端部がこれらの垂直ガイド溝にそれぞれ上下摺動自在に挿入するガイド端部とした正面縦長長方形状に形成してあり、さらに、取付具の前面に羽根の上下取付片の間隔と同一間隔を存して該上下取付片を支持する上下支持溝を設けているので、フェンスの施工時には、支柱の前面に設けている垂直ガイド溝に取付具の両側ガイド端部を係合させて順次落とし込むことにより、複数個の取付具を支柱の前面に簡単に且つ正確に直列状に配設することができる。
【００４３】
さらに、上記取付具の配設、装着後、左右の支柱の取付具における上下に隣接する支持溝を一組として左右方向に対向した各組の上側支持溝間と下側支持溝間に上記羽根の上側取付片と下側取付片とをそれぞれ差し込むことにより、特別な工具や金具を用いることなく取付具と羽根の装着作業が円滑且つ確実に行えてフェンスの施工能率が一層向上するばかりでなく、羽根は取付具における上下一組の支持溝によって順次、正確な位置に整然と並設した状態で支持されて外観的にも優れたフェンスを構成することができ、しかも、各羽根はその背面側に設けている上下取付片を上向き開口の上下支持溝に支持させているので、２点支持構造となって強固に装着することができ、長期の使用に供することができるものである。
【００４４】
また、左右の取付具における上下支持溝からの羽根の上下取付片の抜き取りも何らの工具を用いることなく簡単に行うことができ、従って、羽根の一部が不測に損傷した場合には、その羽根のみの取り替えが容易に行える。
【図面の簡単な説明】
【図１】フェンスの簡略斜視図、
【図２】その縦断側面図、
【図３】羽根の取付部分を断面した一部切欠側面図、
【図４】施工状態を説明するための一部分解斜視図、
【図５】支柱の横断面図、
【図６】取付具の斜視図、
【図７】羽根の別な構造を示す一部分の斜視図、
【図８】別なフェンス構造を示す縦断側面図、
【図９】さらになフェンス構造を示す簡略斜視図、
【図１０】従来例を示す簡略正面図、
【図１１】フェンスを高く形成した場合の簡略縦断側面図。
【符号の説明】
Ａ　フェンス
１　支柱
２　取付具
２ａ、２ａ　ガイド端部
３　羽根
３ａ　前面板片
３ｂ、３ｃ　上下傾斜片
３ｄ、３ｅ　上下取付片
４　溝
４ａ、４ａ　ガイド溝
６、７　上下支持溝
【図１】
2004036298.tif 000003
【図２】
2004036298.tif 000004
【図３】
2004036298.tif 000005
【図４】
2004036298.tif 000006
【図５】
2004036298.tif 000007
【図６】
2004036298.tif 000008
【図７】
2004036298.tif 000009
【図８】
2004036298.tif 000010
【図９】
2004036298.tif 000011
【図１０】
2004036298.tif 000012
【図１１】
2004036298.tif 000013